(57)【要約】【課題】アクセサリーを取り付けない場合には元々の被服の意匠性を維持し、アクセサリーを取り付ける場合にはアクセサリーを紛失する心配のない被服を提供する。【解決手段】着用状態で裾部等の鉛直方向下向きの開口部が形成された被服本体２と、上端が被服本体の裾部に近い裏面に縫い付けられて下端が自由にされたあて布３と、前記開口部の内側に開口部よりもはみ出ないように上端が前記フックがあて布と被服本体との間に固着されて下端が自由にされたフック１４とを備え、前記フックが、布製のリボンに金属製のリングを通して当該リボンを二つ折りにした後、合わせられた両端を上端としていることを特徴とする。【選択図】図２４
2010126858.tif 000002
【特許請求の範囲】
【請求項１】
着用状態で鉛直方向下向きの開口部が形成された被服本体と、
前記開口部の内側に開口部よりもはみ出ないように上端が固着されて下端が自由にされたフックと
を備えることを特徴とするアクセサリーの着脱自在な被服。
【請求項２】
更に、あて布を備え、前記開口部が被服本体の裾部であって、前記あて布の上端が被服本体の裾部に近い裏面に縫い付けられて下端が自由にされ、前記フックがあて布と被服本体との間に固着されている請求項１に記載の被服。
【請求項３】
前記フックが、布製のリボンに金属製のリングを通して当該リボンを二つ折りにした後、合わせられた両端を上端として前記あて布と被服本体との間に固着されている請求項２に記載の被服。
【請求項４】
前記被服本体が表面又は裏面に縫い付けられたポケット布を有し、前記開口部がポケット布の下端に形成されている請求項１に記載の被服。
【発明の詳細な説明】
【技術分野】
【０００１】
この発明は、アクセサリーの着脱自在な被服に関する。
【背景技術】
【０００２】
従来、アクセサリーを被服に着脱自在にする手段として、被服に直接孔を設ける、もしくは孔を有する布片を被服の表面に縫い付けるなどしておき、その孔にアクセサリーの留め具を引っかける方法（特許文献１）、又はアクセサリーの留め具に粘着剤を塗布しておき、粘着剤を介して被服に付着させる方法（特許文献２）が知られている。
【特許文献１】実用新案登録第３０３２２５３号公報
【特許文献２】特開２００６-２９５８５９号公報
【発明の開示】
【発明が解決しようとする課題】
【０００３】
しかし、特許文献１に記載の技術では、アクセサリーを取り付けない場合にも孔が露出してしまって被服の意匠性を損なう。また、特許文献２に記載の技術では、着脱を繰り返す間に粘着力が低下してしまい、アクセサリーを紛失するおそれがある。
それ故、この発明の課題は、アクセサリーを取り付けない場合には元々の被服の意匠性を維持し、アクセサリーを取り付ける場合にはアクセサリーを紛失する心配のない被服を提供することにある。
【課題を解決するための手段】
【０００４】
その課題を解決するために、この発明の被服は、着用状態で鉛直方向下向きの開口部が形成された被服本体と、フックとを備えることを特徴とする。
被服本体とは、洋服の上着、ズボン、コート、セーター類、シャツ類、羽織、はかま、帽子などを含む概念である。鉛直方向下向きの開口部とは通常、裾部であって、上着であれば胴部の裾、袖の裾であってよい。また、被服本体がポケットを有する場合は裾部に限らず、ポケットの下端に開口部が形成されていても良い。この発明の被服は、更にあて布を備え、あて布の上端が被服本体の裾部に近い裏面に縫い付けられて下端が自由にされ、フックが被服本体とあて布との間に固着されていても良い。フックは、開口部の内側に開口部よりもはみ出ないように上端が固着されて下端が自由にされている。フックは、被服本体の裏面に上端が縫い付けられることにより固着されていても良いし、あて布やポケットを有する場合は、あて布やポケット布における被服本体側の面、又はあて布やポケット布と被服本体との縫合部に縫い付けられることにより固着されていても良い。
【０００５】
この被服によれば、アクセサリーのストラップ、アジャスターなどの留め具をフックに引っかけるか結びつけることにより、アクセサリーをしっかり取り付けることができる。アクセサリーは、裾部などの開口部より下にはみ出して外観に現れ、取り付けていないときとは異なった意匠を実現し、享受することができる。あて布が備えられているときはフックや留め具と人の皮膚との間にはあて布が存在するので、皮膚が傷つくことはない。
一方、フックが開口部よりはみ出ていないので、アクセサリーを取り付けていない状態の被服の外観は、アクセサリー取り付けのための加工を施していない被服単体のそれと同じである。従って元々の被服の意匠性が維持される。
前記フックは組紐やリボンのように丈夫な繊維、合皮からなっていてもよいし金属製であってもよく、またこれらの組み合わせでもよい。形状は円形、馬蹄形などのように環状をなしているのが、アクセサリーを確実に取り付けることができるので好ましい。
【発明の効果】
【０００６】
アクセサリーを取り付けない場合は取り付け用の孔が外観に現れないので、取り付け時に意外性のある意匠を実現することができる。留め具をフックに固定して取り付けるので、アクセサリーを紛失する心配がない。従って、一つの被服で異なる意匠を長く享受することができる。
【発明を実施するための最良の形態】
【０００７】
−実施形態１−
この発明の被服の実施形態を図１〜図５とともに説明する。図１は第一の実施形態の被服であるＴシャツを示す正面図、図２は図１のＡ部拡大図、図３は被服の一部を下方から眺めた斜視図、図４は同じ箇所であて布を捲った状態の斜視図、図５は被服の要部断面図である。
被服１は、ほぼ円筒状の胴部、胴部の上端に首孔及び上端付近両側に袖を有する正面視Ｔ字状の布製被服本体２と、あて布３と、フック４とを備え、図１及び図２ではアクセサリーＰも示されている。
【０００８】
あて布３は、被服本体２と同じ生地からなり、胴部の内径とほぼ同じ外径を有する平面視円形をなし、上端が全周に亘って被服本体２の裾部に近い裏面に縫い付けられて下端が自由にされ、裾部よりはみ出ることのない程度の長さを有する。フック４は、堅い金属製で馬蹄形をなし、湾曲部を下にしたとき両端があて布３における被服本体２側の面に図略の糸で縫い付けられて下端が自由にされている。フック４の馬蹄形は、あて布３よりもはるかに小さい面積を有し、被服１を正面から眺めたときは被服本体２に覆われ、裏返して眺めたときはあて布３に覆われていて、あて布３を捲らない限りいずれからも見えない。
【０００９】
この実施形態の被服によれば、アクセサリーＰを取り付けていない状態では、あて布３もフック４も外観に現れないので、通常のＴシャツと同じ意匠性を有する。そして、アクセサリーＰを取り付けるときは、アクセサリーＰのストラップの端をフック４に係らせてぶら下げる。これにより、異なった意匠を実現できるうえ、取り付け部が見えないので、周囲の他人に意外感を覚えさせて楽しむことができる。また、フック４及びアクセサリーＰのストラップと人体との間にはあて布が存在するので、着心地は通常のＴシャツと変わらないし、皮膚が傷つくこともない。
【００１０】
−実施形態２−
この発明の被服のもう一つの実施形態を図６〜図８とともに説明する。図６は第二の実施形態の被服であるＴシャツの一部を下方から眺めた斜視図、図７は同じ箇所であて布を捲った状態の斜視図、図８は被服の要部断面図である。
この実施形態の被服１１では、フック４があて布３の被服本体２との縫合部分に縫い付けられている。従って、フック４をあて布３と同時に被服本体２に固定することができる。
尚、あて布３に代えて図９に示すように裾部よりはみ出る長いあて布１３を用い、あて布の表面にも模様や柄を施しても良い。また、図１０に示すようにフック４を縫い付ける部分だけに当てる程度の著しく短いあて布３３であってもよい。実施形態１においても同様である。
【００１１】
−実施形態３−
この発明の被服の更にもう一つの実施形態を図１１〜図１３とともに説明する。図１１は第三の実施形態の被服であるＴシャツの一部を下方から眺めた斜視図、図１２は同じ箇所であて布を捲った状態の斜視図、図１３は被服の要部断面図である。
この実施形態の被服３１では、あて布２３が合皮製であって、被服本体２の胴部内径よりもはるかに小さい幅の長方形を二つ折りにして被服本体２の裾部に近い裏面に縫い付けられている。従って、あて布２３のコストを節約することができる。
【００１２】
−実施形態４−
図１４は、この発明の第四の実施形態の被服であるＴシャツの要部断面図である。この実施形態では、あて布に代えて被服本体２の裾部の折り返しを往復させ、上端の折り返し点の内側にフック４を固着させている。あて布を別体で用意する必要がないので、量産性に優れている。
【００１３】
−実施形態５−
図１５は、この発明の第五の実施形態の被服であるＴシャツの要部断面図である。この実施形態ではあて布を用いることなく、被服本体２の裾部裏面にフック４が縫い付けられている。最も低コストで生産可能である。
【００１４】
−実施形態６−
第六の実施形態は、これまでの実施形態と異なり、被服本体２の裾部ではなくポケットの下端に開口部が形成されて、その内側にフック４が固着されている。図１６は第六の実施形態に係る被服であるＴシャツを示す正面図、図１７は図１６のＢ部拡大斜視図、図１８は同じくＢ部の別の状態を示す斜視図、図１９は要部断面図である。
被服７１は、被服本体２の左胸相当部分の表面に形成されたポケット５を有する。ポケット５は、ポケット布の左右端及び下端が被服本体２に縫合されることにより、上向きに開口した通常の収納空間を形成している他、下端の縫合部を下端縁よりも１〜２ｃｍ程度上に位置させることにより、下向きに開口した浅い空間をも形成している。フック４は、上端がポケット布５と被服本体２との間に挟まれて、両者の縫合時に一緒に縫い付けられ、下端が前記浅い空間内で自由にされている。アクセサリーを胸の位置に取り付けることができるので、アクセサリーの存在が強調される。
【００１５】
−実施形態７−
第七の実施形態は、これまでの実施形態と異なり、フックが金属製ではなく組紐で作られている。図２０はこの発明の第七実施形態の被服であるＴシャツの一部を下方から眺めた斜視図、図２１は要部断面図である。
被服８１は、被服本体２とフック４３とを備える。フック４３は、多数のループ状に編まれた組紐からなり、被服本体２の裾部に近い裏面に全周に亘って縫い付けられている。ループが多数形成されているので、アクセサリーを好みの箇所に取り付けることができる。
【００１６】
−実施形態８−
第八の実施形態は、フックが布製のリボンと金属製のリングとの組み合わせからなる。図２２はこの発明の第八実施形態の被服であるＴシャツの一部を下方から眺めた斜視図、図２３は同じ箇所であて布を捲った状態の斜視図、図２４は要部断面図である。
被服９１は、被服本体２とあて布３とフック１４とを備える。フック１４は、肉厚０．５ｍｍ程度の金属製のリング１４ａを幅４〜５ｍｍ程度の布製のリボン１４ｂに通してリボン１４ｂを二つ折りにした後、合わせられた両端があて布３と一緒に被服本体の裾部に近い裏面に縫い付けられることにより、固定されている。ミシン針がリング１４ａに触れないので、折れる心配がなく、量産性に優れている。
【図面の簡単な説明】
【００１７】
【図１】実施形態１の被服であるＴシャツを示す正面図である。
【図２】図１のＡ部拡大図である。
【図３】上記被服の一部を下方から眺めた斜視図である。
【図４】図３と同じ箇所であて布を捲った状態の斜視図である。
【図５】実施形態１の被服の要部断面図である。
【図６】実施形態２の被服の一部を下方から眺めた斜視図である。
【図７】図６と同じ箇所であて布を捲った状態の斜視図である。
【図８】実施形態２の被服の要部断面図である。
【図９】実施形態２の被服の変形例の要部断面図である。
【図１０】実施形態２の被服のもう一つの変形例の要部断面図である。
【図１１】実施形態３の被服の一部を下方から眺めた斜視図である。
【図１２】図１１と同じ箇所であて布を捲った状態の斜視図である。
【図１３】実施形態３の被服の要部断面図である。
【図１４】実施形態４の被服の要部断面図である。
【図１５】実施形態５の被服の要部断面図である。
【図１６】実施形態６の被服であるＴシャツを示す正面図である。
【図１７】図１６のＢ部拡大斜視図である。
【図１８】同じく別の状態を示す斜視図である。
【図１９】実施形態６の被服の要部断面図である。
【図２０】実施形態７の被服の一部を下方から眺めた斜視図である。
【図２１】実施形態７の被服の要部断面図である。
【図２２】実施形態８の被服の一部を下方から眺めた斜視図である。
【図２３】図２２と同じ箇所であて布を捲った状態の斜視図である。
【図２４】実施形態８の被服の要部断面図である。
【符号の説明】
【００１８】
１、１１、３１、７１、８１、９１  被服
２  被服本体
３、２３、３３  あて布
４、４３、１４  フック
５  ポケット布
【図１】
2010126858.tif 000003
【図２】
2010126858.tif 000004
【図３】
2010126858.tif 000005
【図４】
2010126858.tif 000006
【図５】
2010126858.tif 000007
【図６】
2010126858.tif 000008
【図７】
2010126858.tif 000009
【図８】
2010126858.tif 000010
【図９】
2010126858.tif 000011
【図１０】
2010126858.tif 000012
【図１１】
2010126858.tif 000013
【図１２】
2010126858.tif 000014
【図１３】
2010126858.tif 000015
【図１４】
2010126858.tif 000016
【図１５】
2010126858.tif 000017
【図１６】
2010126858.tif 000018
【図１７】
2010126858.tif 000019
【図１８】
2010126858.tif 000020
【図１９】
2010126858.tif 000021
【図２０】
2010126858.tif 000022
【図２１】
2010126858.tif 000023
【図２２】
2010126858.tif 000024
【図２３】
2010126858.tif 000025
【図２４】
2010126858.tif 000026